(57)【要約】【課題】  この発明は、赤外線通信機能付きの携帯電話機によって、表示装置の状態を取得することができるようになり、表示装置の状態確認／保守の作業性が容易となる表示装置を提供することを目的とする。【解決手段】  表示装置において、赤外線通信機能付きの携帯電話機と赤外線通信を行うための赤外線インターフェイス、赤外線インターフェイスを介して、赤外線通信機能付きの携帯電話機から所定の診断要求コマンドを受信したときに、そのコマンドによって指定された所定の診断を行う手段、および診断結果を赤外線インターフェイスを介して赤外線送信させる手段を備えている。【選択図】  図２
2005084391.tif 000002
【特許請求の範囲】
【請求項１】
赤外線通信機能付きの携帯電話機と赤外線通信を行うための赤外線インターフェイス、
赤外線インターフェイスを介して、赤外線通信機能付きの携帯電話機から所定の診断要求コマンドを受信したときに、そのコマンドによって指定された所定の診断を行う手段、および
診断結果を赤外線インターフェイスを介して赤外線送信させる手段、
を備えていることを特徴とする表示装置。
【請求項２】
所定の診断要求コマンドが、内部温度が正常であるか異常であるかに関する温度診断、投射用ランプが正常であるか異常であるかとともにその使用積算時間に基づくランプ寿命に関するランプ診断、ならびに電源が正常であるか異常であるかの電源異常診断のうちから任意に選択された１つまたは任意の組合せであることを特徴とする請求項１に記載の表示装置。
【発明の詳細な説明】
【技術分野】
【０００１】
本発明は、液晶プロジェクタ等の表示装置に関する。
【背景技術】
【０００２】
図１は、従来の液晶プロジェクタの構成を示している。
【０００３】
ＡＣ電源１３から入力された交流電圧は、アクティブフィルタ１５によって直流電圧に変換される。アクティブフィルタ１５によって得られた直流電圧は、メイン電源回路１２に送られる。また、アクティブフィルタ１５によって得られた直流電圧は、ファンコントロール１６を介してファン１４に送られるとともに、ランプ用電源スイッチ１７を介してランプ１８にも送られる。
【０００４】
メイン電源回路１２はマイクロコンピュータ（マイコン）６ための電源（マイコン用電源）と、マイコン６以外の回路のための電源（回路用電源）とを生成する。メイン電源回路１２によって生成されたマイコン用電源はマイコン６に供給される。メイン電源回路１２によって生成された回路用電源は、各回路の電源端子に供給される。
【０００５】
ランプ用電源スイッチ１７は、マイコン６によってオン・オフ制御される。ランプ用電源スイッチ１７がオンするとランプ１８に電圧が与えられ、ランプ１８が点灯する。
【０００６】
マイコン６は、プログラムを記憶したＲＯＭ等の記憶装置（図示略）、必要なデータを記憶するＲＡＭ等の記憶装置（図示略）の他、ＥＥＰＲＯＭの不揮発性メモリ７、プロジェクタ内部の温度を検知する温度センサ２３等を備えている。また、マイコン６には、リモコン（図示略）からの指令がリモコン受信機（Ｒ／Ｃ）２２を介して入力されるとともに、キーボード等の操作部２４からの指令が入力される。
【０００７】
液晶プロジェクタには、コンピュータからのアナログＲＧＢ信号を入力するためのアナログＲＧＢ入力端子２０と、コンピュータからのデジタルＲＧＢ信号を入力するためのデジタルＲＧＢ入力端子１９と、ＶＣＲ、ＤＶＤ等からのコンポジットビデオ信号を入力するためのアナログビデオ入力端子２１を備えている。
【０００８】
液晶プロジェクタのアナログＲＧＢ入力端子２０より入力されたアナログＲＧＢ映像信号は、アナログデジタル変換回路２でデジタル信号に変換された後、走査変換回路５で画像の縮小や拡大処理が行われた後、デジタルガンマ補正回路９およびサンプル＆ホールド１０を介して液晶パネル１１に送られる。
【０００９】
液晶プロジェクタのデジタルＲＧＢ入力端子１９より入力されたデジタルＲＧＢ映像信号は、ＤＶＩレシーバ１を介して操作変換回路５に送られた後、デジタルガンマ補正回路９およびサンプル＆ホールド１０を介して液晶パネル１１に送られる。
【００１０】
アナログビデオ入力端子２１に入力されたアナログビデオ信号は、Ｙ／Ｃ分離回路３で輝度信号と色信号に分離され後、ビデオデコーダ４に入力される。マイコン６は、ビデオデコーダ４から、信号の有無、カラーシステムなどを受信し、それに応じた制御データをビデオデコーダ４に送信する。ビデオデコーダ４は、入力信号をＲＧＢ信号に変換して出力する。ビデオデコーダ４からのＲＧＢ信号は、アナログデジタル変換回路２を介して操作変換回路５に送られた後、デジタルガンマ補正回路９およびサンプル＆ホールド１０を介して液晶パネル１１に送られる。
【００１１】
この液晶プロジェクタを、ＲＳ２３２Ｃを介してＰＣ等の外部機器と接続し、外部機器とプロジェクタとの情報のやりとりを行い、外部機器にプロジェクタの内部状況を知らせることも可能である（特開２００２−５５８０６号公報参照）。
【００１２】
プロジェクタの内部状況を知らせるためのコマンドを表１に示す一覧表をもとに説明を行う。
【００１３】
【表１】
2005084391.tif 000003
【００１４】
コマンド"TEMP"はそれを受信した液晶プロジェクタが液晶プロジェクタ内部の温度情報を外部機器に知らせるためのコマンドであり、、外部機器からＲＳ２３２Ｃにて"TEMP"という文字列からなるコマンドを液晶プロジェクタに送信すると、液晶プロジェクタはこれを受け、温度センサ２３から温度データを読み取り、このデータを"+31.0" のような文字列として外部機器へ返す。
【００１５】
コマンド"LAMPTIME"はそれを受信した液晶プロジェクタが液晶プロジェクタのランプ使用積算時間を外部機器に知らせるためのコマンドであり、外部機器からＲＳ２３２Ｃにて"LAMPTIME"という文字列からなるコマンドを液晶プロジェクタに送信すると、液晶プロジェクタはこれを受け、ランプ１７を点灯していた時間の総和をランプ使用積算時間として"620H"のような文字列として外部機器へ返す。ランプを点灯している時間の総和は、マイコンの内部で独自にカウントを行い時間に変換するものである。
【００１６】
コマンド"POWERFAIL" はそれを受信した液晶プロジェクタが液晶プロジェクタ内部の電源の異常の有無を外部機器に知らせるためのコマンドであり、外部機器からＲＳ２３２Ｃにて"POWERFAIL" という文字列からなるコマンドを液晶プロジェクタに送信すると、液晶プロジェクタはこれを受け、電源異常の有無を"YES" または"NO"を外部機器へ返す。電源異常の有無は、マイコン６に接続された増設入出力ポート（以下I/O Expander８と呼ぶ）から得る。I/O Expander８の入力ポートは、メイン電源回路１２、ファンコントロール１６およびランプ用電源１７それぞれに供給されるアクティブフィルタ１５からの直流電圧に接続されている。これらの電源回路に異常が発生すると接続されている直流電圧が低下する。これをI/O Expander８の入力ポートにて検出することにより電源異常の有無を知ることができるものである。
【００１７】
従来においては、液晶プロジェクタとＰＣなどの外部機器をRS232Cケーブルで接続することにより、液晶プロジェクタの状態を知ることができるものであり、サービスマンにとっては有意義なものとなっている。しかし、液晶プロジェクタがＰＣなどの外部機器から少し離れた場所（天吊りされている場合等）に設置されている場合には、RS232Cケーブルの接続が容易ではない。
【００１８】
また、従来の液晶プロジェクタでは、ワイヤレスで映像信号調整などを行う為にリモコンを備えており、リモコンから送出されたリモコン信号はリモコン受信部２２で受信される。しかしながら、従来の液晶プロジェクタは、液晶プロジェクタから赤外線通信を用いて外部機器へ情報を送信する手段を備えていない。
【特許文献１】特開２００２−５５８０６号公報
【発明の開示】
【発明が解決しようとする課題】
【００１９】
この発明は、赤外線通信機能付きの携帯電話機によって、表示装置の状態を取得することができるようになり、表示装置の状態確認／保守の作業性が容易となる表示装置を提供することを目的とする。
【課題を解決するための手段】
【００２０】
請求項１に記載の発明は、赤外線通信機能付きの携帯電話機と赤外線通信を行うための赤外線インターフェイス、赤外線インターフェイスを介して、赤外線通信機能付きの携帯電話機から所定の診断要求コマンドを受信したときに、そのコマンドによって指定された所定の診断を行う手段、および診断結果を赤外線インターフェイスを介して赤外線送信させる手段を備えていることを特徴とする。
【００２１】
請求項２に記載の発明は、請求項１に記載の発明において、所定の診断要求コマンドが、内部温度が正常であるか異常であるかに関する温度診断、投射用ランプが正常であるか異常であるかとともにその使用積算時間に基づくランプ寿命に関するランプ診断、ならびに電源が正常であるか異常であるかの電源異常診断のうちから任意に選択された１つまたは任意の組合せであることを特徴とする。
【発明の効果】
【００２２】
この発明によれば、赤外線通信機能付きの携帯電話機によって、表示装置液晶の状態を取得することができるようになり、表示装置の状態確認／保守の作業性が容易となる。
【発明を実施するための最良の形態】
【００２３】
以下、図２〜図４を参照して、この発明の実施例について説明する。
【実施例】
【００２４】
図２は、液晶プロジェクタの構成を示している。
【００２５】
マイコン６には、IrMC(Infra-red Mobile Communication)に準拠したIrMCインターフェイス２６がＲＳ２３２Ｃを介して接続されている。
【００２６】
図３は、IrMCインターフェイス２６の構成を示している。
【００２７】
IrMCインターフェイス２６は、IrMCモジュール２７と汎用IrDAトランシーバー２８とからなる。
【００２８】
サービスマンまたはユーザは、IrMCに対応した赤外線インターフェースを備えている携帯電話機２９を操作することによって、液晶プロジェクタに各種診断を行わせ、その診断結果を取得することが可能である。
【００２９】
携帯電話機２９から送出されたコマンドは、汎用IrDAトランシーバー２８によって受信され、IrMCモジュール２７およびRS232Cケーブル２５を介してマイコン６に入力される。      
【００３０】
マイコン６は、受信したコマンドに応じて、プロジェクタ内部の各センサや回路から情報を取得し、その情報を分析し、RS232Cケーブル２５を介してIrMCモジュール２７に送る。IrMCモジュール２７は、RS232Cケーブル２５からのデータをIrMCフォーマットに変換して、汎用IrDAトランシーバー２８に送信する。汎用IrDAトランシーバー２８は赤外線にて信号を送出する。送出された信号は、上記携帯電話機２９によって受信される。
【００３１】
マイコン６は、プロジェクタ内部の各回路の制御を行い、各回路３０からの情報を元にプロジェクタの制御を行っている。IrMCに対応した赤外線インターフェースを備えている携帯電話機２９には、液晶プロジェクタに対して制御コマンドを赤外線送信するためのソフトウエアが搭載されている。これはｉアプリと呼ばれるソフトとして提供される。
【００３２】
【表２】
2005084391.tif 000004
【００３３】
携帯電話機２９からプロジェクタに対してコマンドを送信すると、携帯電話機２９から送信した制御コマンドは、RS232CエミュレートされたIrRXD を使用して、プロジェクタに送信される。プロジェクタによって受信されたコマンドは、マイコン６で処理され、受信確認のコマンドとメッセージがIrTXD にて送信される。
【００３４】
携帯電話機２９のｉアプリのプロジェクタ診断ソフトを選択すると、”温度診断”、”電源異常診断”、”ランプ診断”および”通信モニタ”の４つのアイコンを含むメニュー画面が表示される。
【００３５】
メニュー画面において、カーソルを”温度診断”を表すアイコンに移動させ選択ボタンを押すと、携帯電話機より温度診断に対応するコマンド"TEMP ANALYZE"が送信される。プロジェクタのマイコン６は、IrMCインターフェイス２６を経由してこのコマンドを受信する。このコマンドを受信するとマイコン６は、温度センサ２３から温度データを入力し、その温度に対する自己診断を行う。
【００３６】
プロジェクタのマイコン６は、プロジェクタ設計時に求められた内部の許容温度より２度低い温度を基準温度とし、検出された温度が基準温度以下であれば正常温度とし、検出された温度ともに正常に使用できることを示すッセージを返す。メッセージは、IrMCインターフェイス２６を介して赤外線により携帯電話機２９に送られる。携帯電話機２９は、検出温度とともにこのメッセージを受信すると、図４に示すように、受信した検出温度とそのメッセージ内容とを表示する。
【００３７】
また、検出された温度が基準温度より高いが許容温度以下である場合には、液晶プロジェクタのマイコン６は、検出された温度とともに、これ以上温度が上がってはランプが消え、クーリング状態に入るという注意を促すためのメッセージを返す。携帯電話機２９は、検出温度とともにこのメッセージを受信すると、受信した検出温度とそのメッセージ内容とを表示する。
【００３８】
また、検出された温度が許容温度を越えている場合には、液晶プロジェクタのマイコン６は、検出された温度とともに、温度が下がるまで使用できないメッセージを返す。携帯電話機２９は、検出温度とともにこのメッセージを受信すると、受信した検出温度とそのメッセージ内容とを表示する。
【００３９】
メニュー画面において、”ランプ診断”を表すアイコンを選択すると携帯電話機２９からランプ診断に対応するコマンド"LAMP ANALYZE"が送信される。液晶プロジェクタのマイコン６は、ランプ診断に対応するコマンドを受信すると、ランプの点灯の有無および使用積算時間から自己診断を行う。つまり、ランプが点灯している場合はランプは正常に点灯しているメッセージを、ランプが点灯していない場合はランプを交換するメッセージを携帯電話機２９に送信する。ただし、ランプが点灯している場合であっても、ランプの使用積算時間からランプが寿命に到達しそうな場合は、まもなく寿命に到達するのでランプを交換するメッセージを携帯電話機２９に送信する。
【００４０】
携帯電話機２９は、これらのメッセージを受信すると、受信したメッセージを表示する。例えば、まもなく寿命に到達するのでランプを交換するメッセージを受信した場合には、携帯電話機２９は、図５に示すように、そのメッセージを表示する。
【００４１】
メニュー画面において、”電源異常診断”を表すアイコンを選択すると、携帯電話機２９から電源異常診断に対応するコマンド"POWERFAIL ANALYZE" が送信される。液晶プロジェクタのマイコン６は、電源異常診断に対応するコマンドを受信すると、電源異常の有無の診断を行う。つまり、I/O Expander 8の入力ポートに接続された、メイン電源回路１２、ファンコントロール１６およびランプ用電源１７ごとに電源異常診断を行い、それぞれの診断結果を表すメッセージを携帯電話機２９に送信する。携帯電話機２９は、このメッセージを受信すると、受信したメッセージを表示する。例えば、メイン電源回路１２、ファンコントロール１６およびランプ用電源１７の全てに電源が異常が無い場合には、診断結果を表すメッセージは、メイン電源回路異常なし、ファンコントロール異常なし、ランプ電源異常なしを含むメッセージとなる。
【００４２】
メニュー画面において、”通信モニタ”を表すアイコンを選択すると、携帯電話機２９から通信モニタに対応するコマンド"MONITOR" が送信される。液晶プロジェクタのマイコン６は、このコマンドを受信すると、”温度診断”、”電源異常診断”、”ランプ診断”を１秒ごとに繰り返し行い、各診断の都度、その診断結果を携帯電話機２９に送信する。携帯電話機２９には、１秒間隔で”温度診断”、”電源異常診断”、”ランプ診断”の診断結果が送られてくるので、その都度、受信した診断結果を表示する。
【図面の簡単な説明】
【００４３】
【図１】従来の液晶プロジェクタの構成を示すブロック図である。
【図２】実施例を示し、液晶プロジェクタの構成を示すブロック図である。
【図３】IrMCインターフェイス２６の構成を示すブロック図である。
【図４】携帯電話機に表示される温度診断結果の例を示す模式図である。
【図５】携帯電話機に表示されるランプ診断結果の例を示す模式図である。
【符号の説明】
【００４４】
６  マイコン
２６  IrMCインターフェイス
２７  IrMCモジュール
２８  汎用IrDAトランシーバー
２９  携帯電話機
【図１】
2005084391.tif 000005
【図２】
2005084391.tif 000006
【図３】
2005084391.tif 000007
【図４】
2005084391.tif 000008
【図５】
2005084391.tif 000009